(57)【要約】【課題】  ミキシングシステムのシーン設定画面等において、操作内容と操作結果とを直感的に一致させる。【解決手段】  リスト表示順選択リストボックス４０は、シーン選択リスト３２の表示順を「昇順」または「降順」のうち何れかから選択する。マーカ移動方法選択リストボックス３８は、上下スイッチ５２，５４に対するマーカ３１の移動方法として「表示順」または「番号順」を選択する。上スイッチ５２が押下されると、マーカ移動方法として「表示順」が選択されている場合は、マーカ３１は「１行上」に移動される。また、マーカ移動方法として「番号順」が選択され表示順として「昇順」が選択されている場合はマーカ３１は「１行下」に移動される。また、「番号順」および「降順」が選択されている場合はマーカ３１は「１行上」に移動される。また、下スイッチ５４が押下されると、上スイッチ５２の場合とは逆方向にマーカ３１が移動する。【選択図】  図２
2005159608.tif 000002
【特許請求の範囲】
【請求項１】
各々が固有の番号を有する複数のデータを記憶する記憶手段と、
これら複数のデータを各々指標する複数の指標情報を一覧表内に表示するとともに、表示された指標情報のうち一の指標情報を選択するマーカを表示する表示手段と、
前記一覧表内で前記マーカを第１または第２の方向の一方に移動させる第１のスイッチと、
前記一覧表内で前記マーカを前記第１または第２の方向の他方に移動させる第２のスイッチと、
前記複数の指標情報を前記一覧表内に表示させる際の表示順を前記固有の番号の昇順にするか降順にするかを選択する表示順選択手段と、
前記第１および第２のスイッチによるマーカ移動方法として、番号順または表示順の何れかを選択するマーカ移動方法選択手段と、
前記第１のスイッチが操作されると、前記マーカ移動方法として前記表示順が選択されている場合は前記マーカを前記第１の方向に移動させ、前記マーカ移動方法として前記番号順が選択され前記表示順として前記昇順が選択されている場合は前記マーカを前記第２の方向に移動させ、前記マーカ移動方法として前記番号順が選択され前記表示順として前記降順が選択されている場合は前記マーカを前記第１の方向に移動させる第１のマーカ移動制御手段と、
前記第２のスイッチが操作されると、前記マーカ移動方法として前記表示順が選択されている場合は前記マーカを前記第２の方向に移動させ、前記マーカ移動方法として前記番号順が選択され前記表示順として前記昇順が選択されている場合は前記マーカを前記第１の方向に移動させ、前記マーカ移動方法として前記番号順が選択され前記表示順として前記降順が選択されている場合は前記マーカを前記第２の方向に移動させる第２のマーカ移動制御手段と
を具備することを特徴とするデータ表示装置。
【請求項２】
各々が固有の番号を有する複数のデータを各々指標する複数の指標情報を一覧表内に表示するとともに、表示された指標情報のうち一の指標情報を選択するマーカを表示する表示過程と、
前記一覧表内における前記指標情報の表示順を、前記固有の番号の昇順にするか降順にするかを選択する表示順選択過程と、
第１または第２の指令によるマーカ移動方法として、番号順または表示順の何れかを選択するマーカ移動方法選択過程と、
前記第１の指令が検出されると、前記マーカ移動方法として前記表示順が選択されている場合は前記マーカを前記第１の方向に移動させ、前記マーカ移動方法として前記番号順が選択され前記表示順として前記昇順が選択されている場合は前記マーカを前記第２の方向に移動させ、前記マーカ移動方法として前記番号順が選択され前記表示順として前記降順が選択されている場合は前記マーカを前記第１の方向に移動させる第１のマーカ移動過程と、
前記第２の指令が検出されると、前記マーカ移動方法として前記表示順が選択されている場合は前記マーカを前記第２の方向に移動させ、前記マーカ移動方法として前記番号順が選択され前記表示順として前記昇順が選択されている場合は前記マーカを前記第１の方向に移動させ、前記マーカ移動方法として前記番号順が選択され前記表示順として前記降順が選択されている場合は前記マーカを前記第２の方向に移動させる第２のマーカ移動過程と
を処理装置に実行させることを特徴とするプログラム。
【発明の詳細な説明】
【技術分野】
【０００１】
本発明は、ミキシングシステム等に用いて好適なデータ表示装置およびプログラムに関する。
【背景技術】
【０００２】
近年のミキシングシステムにおいては、フェーダやボリューム操作子等で設定されたパラメータ値、各種ボタンのオン／オフ状態、その他ミキシングシステムの設定状態を一の「シーンデータ」としてメモリにストアし、ストアしたシーンデータをワンタッチで再現する機能（シーンリコール機能）が設けられている。一般的にミキシングシステムにおいては、複数のシーンデータをストアすることができ、各シーンデータには一連の番号である「シーンナンバ」と、各シーンデータの内容等を表す文字列である「シーンネーム」とが対応付けて記憶される（非特許文献１）。
【０００３】
一般的に、シーンに対してストアまたはリコールが行われる場合には、ＬＣＤディスプレイ等にシーンナンバおよびシーンネームのリスト（シーンリスト）がシーンナンバの昇順に表示されるとともに、ストアまたはリコールの対象となるシーンを選択するためのマーカが表示される。そして、ミキシングシステムのパネル上に設けられた「上スイッチ」、「下スイッチ」をユーザが操作すると、このマーカが上下に移動し、選択されているシーンがその都度変更される。そして、マーカが所望のシーンに位置している状態でユーザが「リコール」または「ストア」操作を行うと、当該シーンに対してリコールまたはストア操作が実行されるのである。
【０００４】
【非特許文献１】「ＤＭ２０００取扱説明書」  ヤマハ株式会社，平成１４年２月
【発明の開示】
【発明が解決しようとする課題】
【０００５】
ところで、上述した技術においてはシーンリストが昇順に表示されるため、リストの上部分に表示されるシーンほどシーンナンバの数が小さくなる。そして、現在のマーカ位置よりも上に位置するシーン、すなわち現在のマーカ位置よりもシーンナンバの小さいシーンにマーカを移動させようとすると、ユーザは「上スイッチ」を操作することになる。同様に、現在のマーカ位置よりも下に位置するシーン、すなわち現在のマーカ位置よりもシーンナンバの大きいシーンにマーカを移動させようとすると、ユーザは「下スイッチ」を操作することになる。
しかし、かかる操作は、「上スイッチを押すとシーンナンバが下がり、下スイッチを押すとシーンナンバが上がる」ということに他ならないため、シーンナンバと上下スイッチとの関係が直感的にわかりづらいというユーザも存在した。この発明は上述した事情に鑑みてなされたものであり、操作内容と操作結果とを直感的に一致させることができるデータ表示装置およびプログラムを提供することを目的としている。
【課題を解決するための手段】
【０００６】
上記課題を解決するため本発明にあっては、下記構成を具備することを特徴とする。なお、括弧内は例示である。
請求項１記載のデータ表示装置にあっては、各々が固有の番号（シーンナンバ）を有する複数のデータ（シーンデータ）を記憶する記憶手段と、これら複数のデータを各々指標する複数の指標情報（シーンナンバ，シーンネーム）を一覧表内に表示するとともに、表示された指標情報のうち一の指標情報を選択するマーカ（３１）を表示する表示手段（３０）と、前記一覧表内で前記マーカ（３１）を第１または第２の方向（上または下）の一方に移動させる第１のスイッチ（５２）と、前記一覧表内で前記マーカ（３１）を前記第１または第２の方向の他方に移動させる第２のスイッチ（５４）と、前記複数の指標情報を前記一覧表内に表示させる際の表示順を前記固有の番号の昇順にするか降順にするかを選択する表示順選択手段（４０）と、前記第１および第２のスイッチ（５２，５４）によるマーカ移動方法として、番号順または表示順の何れかを選択するマーカ移動方法選択手段（３８）と、前記第１のスイッチ（５２）が操作されると、前記マーカ移動方法として前記表示順が選択されている場合は前記マーカ（３１）を前記第１の方向（上）に移動させ、前記マーカ移動方法として前記番号順が選択され前記表示順として前記昇順が選択されている場合は前記マーカ（３１）を前記第２の方向（下）に移動させ、前記マーカ移動方法として前記番号順が選択され前記表示順として前記降順が選択されている場合は前記マーカ（３１）を前記第１の方向（上）に移動させる第１のマーカ移動制御手段（ＳＰ２２〜ＳＰ２８）と、前記第２のスイッチ（５４）が操作されると、前記マーカ移動方法として前記表示順が選択されている場合は前記マーカ（３１）を前記第２の方向（下）に移動させ、前記マーカ移動方法として前記番号順が選択され前記表示順として前記昇順が選択されている場合は前記マーカ（３１）を前記第１の方向（上）に移動させ、前記マーカ移動方法として前記番号順が選択され前記表示順として前記降順が選択されている場合は前記マーカ（３１）を前記第２の方向（下）に移動させる第２のマーカ移動制御手段（ＳＰ３２〜ＳＰ３８）とを具備することを特徴とする。
また、請求項２記載のプログラムにあっては、各々が固有の番号（シーンナンバ）を有する複数のデータ（シーンデータ）を各々指標する複数の指標情報を一覧表内に表示するとともに、表示された指標情報のうち一の指標情報を選択するマーカ（３１）を表示する表示過程（ＳＰ２，ＳＰ６）と、前記一覧表内における前記指標情報の表示順を、前記固有の番号の昇順にするか降順にするかを選択する表示順選択過程（ＳＰ４，ＳＰ６）と、第１または第２の指令（上下スイッチ５２，５４の操作）によるマーカ移動方法として、番号順または表示順の何れかを選択するマーカ移動方法選択過程（ＳＰ８，ＳＰ１０）と、前記第１の指令が検出されると、前記マーカ移動方法として前記表示順が選択されている場合は前記マーカ（３１）を前記第１の方向（上）に移動させ、前記マーカ移動方法として前記番号順が選択され前記表示順として前記昇順が選択されている場合は前記マーカ（３１）を前記第２の方向（下）に移動させ、前記マーカ移動方法として前記番号順が選択され前記表示順として前記降順が選択されている場合は前記マーカ（３１）を前記第１の方向（上）に移動させる第１のマーカ移動過程（ＳＰ２２〜ＳＰ２８）と、前記第２の指令が検出されると、前記マーカ移動方法として前記表示順が選択されている場合は前記マーカ（３１）を前記第２の方向（下）に移動させ、前記マーカ移動方法として前記番号順が選択され前記表示順として前記昇順が選択されている場合は前記マーカ（３１）を前記第１の方向（上）に移動させ、前記マーカ移動方法として前記番号順が選択され前記表示順として前記降順が選択されている場合は前記マーカ（３１）を前記第２の方向（下）に移動させる第２のマーカ移動過程（ＳＰ３２〜ＳＰ３８）とを処理装置に実行させることを特徴とする。
【発明の効果】
【０００７】
このように本発明によれば、複数の指標情報を一覧表内に表示させる際の表示順を固有の番号の昇順にするか降順にするかを選択でき、マーカ移動方法として番号順または表示順の何れかを選択できるから、ユーザの直感に最も一致するように操作内容と操作結果の関係を設定することができる。
【発明を実施するための最良の形態】
【０００８】
1．実施例のハードウエア構成
次に、本発明の一実施例のミキシングシステムの全体構成を図１を参照し説明する。
図において２は操作子群であり、フェーダ、ボリューム操作子、スイッチ、マウス、文字入力用キーボード等の操作子から構成されている。４は検出回路であり、操作子群２における各操作子の操作状態を検出しバス１４を介して出力する。６は表示部であり、ユーザに対して各種情報を表示するディスプレイ（ＬＣＤディスプレイなど）、ボリューム操作子の周囲のＬＥＤ、スイッチ等に埋設されたＬＥＤ、レベルメータ等から構成されている。８は表示回路であり、バス１４を介して供給された表示情報に基づいて、表示部６の各部を制御する。１２は信号処理回路であり、操作子群２などで設定されたアルゴリズムおよびパラメータに基づいて複数の入力チャンネルのデジタル音声信号に対してミキシング処理を施す。
【０００９】
１０は入出力インタフェースであり、外部機器から入力されたアナログまたはデジタル音声信号をミキシングシステムの内部形式のデジタル音声信号に変換し、信号処理回路１２に供給するとともに、信号処理回路１２から供給されたミキシング結果を他方式のデジタル音声信号またはアナログ音声信号に変換し外部機器に出力する。２０はＣＰＵであり、ＲＯＭ１６に格納された制御プログラムに基づいて、バス１４を介して各部を制御する。２２は通信インタフェースであり、外部制御機器２６との間で制御データの入出力を行う。１８はＲＡＭであり、ＣＰＵ２０のワークメモリとして用いられる。ところで、ＲＡＭ１８には、上記アルゴリズムに対して適用される各パラメータの現在値を記憶する領域が設けられており、この領域を「カレント領域」と呼ぶ。また、任意の時点におけるカレント領域の内容をＲＡＭ１８内に記憶させておくことができ、かかるデータを「シーンデータ」と呼ぶ。各シーンデータには、各々昇順でユニークな番号である「シーンナンバ」と、任意の文字列である「シーンネーム」が付与される。
【００１０】
2．操作パネルの要部の構成
次に、ミキシングシステムの操作パネルの要部の構成を図２を参照し説明する。
図２において３０はＬＣＤディスプレイであり、ユーザの選択操作に応じてミキシングシステム内の状態を表示する各種画面を表示することができる。なお、図示の状態においては、ＬＣＤディスプレイ３０には、シーン設定画面３０ａが表示されている。シーン設定画面３０ａの内部において３２はシーン選択リストであり、シーンナンバ欄３２ａとシーンネーム欄３２ｂとから構成され、これらの欄に各シーンデータのシーンナンバおよびシーンネームが一覧表示される。
【００１１】
３１は、シーン選択リスト３２内の１行を反転表示してなるマーカである。３６はスクロールバーであり、マウスでドラッグされると、シーン選択リスト３２をスクロールさせる。５２は上スイッチ、５４は下スイッチ、５６はシーンデータスイッチであり、これらはＬＣＤディスプレイ３０の近傍に設けられている。シーンデータスイッチ５６はＬＣＤディスプレイ３０にシーン設定画面３０ａを表示させ、あるいはシーン設定画面３０ａを消去させる動作をトグルで実行するスイッチである。また、上下スイッチ５２，５４は、シーン選択リスト３２内でマーカ３１を上または下に移動させるスイッチである。
【００１２】
再びシーン設定画面３０ａの内部において３８はマーカ移動方法選択リストボックスであり、ここで上下スイッチ５２，５４の「マーカ移動方法」として「表示順」または「番号順」の何れかが選択される。ここで、「表示順」とは、「上スイッチ５２はマーカ３１を上方向に移動させ、下スイッチ５４はマーカ３１を下方向に移動させる」移動方法であり、「番号順」とは、「上スイッチ５２はシーンナンバを増加する方向にマーカ３１を移動させ、下スイッチ５４はシーンナンバを減少する方向にマーカ３１を移動させる」移動方法である。
【００１３】
４０はリスト表示順選択リストボックスであり、ここでシーン選択リスト３２における各シーンの表示順が「昇順」または「降順」のうち一方から選択される。ここで、「昇順」とは、シーン選択リスト３２の上部から下部に向かってシーンナンバが増加してゆく順序であり、「降順」とは、シーン選択リスト３２の上部から下部に向かってシーンナンバが減少してゆく順序である。なお、図２の例においては、リスト表示順選択リストボックス４０において「降順」が選択されているから、シーン選択リスト３２は「降順」で表示されている。
【００１４】
４２はリコールスイッチであり、マウスでクリックされると、マーカ３１が位置しているシーンのシーンデータがリコールされる。すなわち、当該シーンデータがカレント領域にコピーされ、ミキシングシステムにおけるフェーダ量等のパラメータが、当該シーンデータ（カレント領域に記憶されているデータ）に基づいて自動的に信号処理回路１２へ再設定される。４４はストアスイッチであり、マウスでクリックされると、現在のカレント領域の内容が新たなシーンデータとしてＲＡＭ１８にストアされる。すなわち、図２に例示した状態でストアスイッチ４４がマウスでクリックされると、シーンナンバ「００２」〜「００５」のシーンデータにおいて、各シーンナンバが「１」づつ増加され、これらのシーンナンバは「００３」〜「００６」に変更される。そして、現在のカレント領域の内容に基づいて新たなシーンデータが作成され、このシーンデータのシーンナンバが「００２」に設定されるのである。
【００１５】
3．実施例の動作
3．1．シーンデータ処理
次に、本実施例の動作を説明する。まず、シーン設定画面３０ａが表示されていない状態でシーンデータスイッチ５６が押下されると、図３に示すシーンデータ処理ルーチンが起動される。
図において処理がステップＳＰ２に進むと、ＬＣＤディスプレイ３０にシーン設定画面３０ａが表示される。ここで、表示されるシーン設定画面３０ａ内のシーン選択リスト３２にあっては、各シーンデータのシーンナンバおよびシーンネームが、シーンナンバの昇順に（図２の状態とは逆にシーンナンバの小さいものが上に位置するように）表示される。次に、処理がステップＳＰ４に進むと、リスト表示方法を切り替える指示を受信したか否かが判定される。すなわち、リスト表示順選択リストボックス４０において表示順を変更する操作が行われたか否かが判定される。ここで「ＹＥＳ」と判定されると、処理はステップＳＰ６に進み、シーン選択リスト３２における表示方法（「昇順」または「降順」）が現在の表示状態とは逆順に変更される。
【００１６】
次に、処理がステップＳＰ８に進むと、マーカ３１の移動方法を切り替える指示を受信したか否かが判定される。すなわち、マーカ移動方法選択リストボックス３８においてマーカ移動方法を変更する操作が行われたか否かが判定される。ここで「ＹＥＳ」と判定されると、処理はステップＳＰ１０に進み、上下スイッチ５２，５４が操作されたときのマーカ移動方法（「番号順」または「表示順」）が現在の移動方法とは異なる移動方法に変更される。なお、ステップＳＰ６，ＳＰ１０における設定状態はＲＡＭ１８内の所定領域に保持される。
【００１７】
次に、処理がステップＳＰ１２に進むと、その他の処理が実行される。例えば、シーン設定画面３０ａ内のリコールスイッチ４２がマウスでクリックされると、その時点でシーン選択リスト３２において選択されているシーンデータがリコールされ、該シーンデータに沿ってカレント領域の内容が更新される。また、ストアスイッチ４４がマウスでクリックされると、現在のカレント領域の内容が、新たなシーンデータとしてＲＡＭ１８内に記憶される。次に、処理がステップＳＰ１４に進むと、シーンデータ編集処理を終了する指示を受信したか否かが判定される。すなわち、シーンデータスイッチ５６が再び押下されたか否かが判定される。ここで「ＹＥＳ」と判定されると、本ルーチンの処理は終了し、「ＮＯ」と判定されると、上記ステップＳＰ４以降の処理が繰り返される。
【００１８】
3．2．上下スイッチ５２，５４のイベント処理
上記シーンデータ処理ルーチン（図３）の実行中に上スイッチ５２の操作イベントが発生すると、該シーンデータ処理ルーチンに対する割込み処理として、図４に示す上スイッチイベント処理ルーチンが起動される。図４において処理がステップＳＰ２２に進むと、マーカ移動方法が「番号順」に設定されているか否かが判定される。ここでマーカ移動方法が「表示順」に設定されていると「ＮＯ」と判定され、処理はステップＳＰ２８に進む。ここでは、表示方法が「昇順」であるか「降順」であるかにかかわらず、シーン選択リスト３２内のマーカ３１が「１行上」のシーンに移動され、移動先のシーンが選択状態にされる。なお、「１行上」のシーンとは、表示方法が「昇順」であればシーンナンバが「１」だけ小さいシーンであり、表示方法が「降順」であればシーンナンバが「１」だけ大きいシーンである。
【００１９】
一方、マーカ移動方法が「番号順」に設定されていると、ステップＳＰ２２において「ＹＥＳ」と判定され、処理はステップＳＰ２４に進む。ここでは、シーン選択リスト３２の表示方法が「昇順」に設定されているか否かが判定される。ここで「ＹＥＳ」と判定されると、処理はステップＳＰ２６に進み、シーン選択リスト３２内のマーカ３１が「１行下」のシーンに移動され、移動先のシーンが選択状態にされる。これは、マーカ移動方法が「番号順」に設定されていると、上スイッチ５２はシーンナンバが現在よりも「１」だけ大きいシーンにマーカ３１を移動させるためのスイッチとして機能し、かかるシーンは表示方法が「昇順」に設定されていれば、「１行下」のシーンに他ならないからである。逆に、表示方法が「降順」に設定されていると、ステップＳＰ２４において「ＮＯ」と判定され、処理は上述したステップＳＰ２８に進み、シーン選択リスト３２内のマーカ３１が「１行上」のシーンに移動され、移動先のシーンが選択状態にされる。これは、表示方法が「降順」であるとき、シーンナンバが現在よりも「１」だけ大きいシーンとは、「１行上」のシーンに他ならないからである。以上の処理が終了すると、本ルーチンの処理は終了し、シーンデータ処理ルーチン（図３）が再び続行されることになる。
【００２０】
また、シーンデータ処理ルーチン（図３）の実行中に下スイッチ５４の操作イベントが発生すると、シーンデータ処理ルーチンに対する割込み処理として、図５に示す下スイッチイベント処理ルーチンが起動される。図５におけるステップＳＰ３２，ＳＰ３４は図４におけるステップＳＰ２２，２４と同様の内容であり、ステップＳＰ３６，ＳＰ３８は、各々ステップＳＰ２６，ＳＰ２８に対してマーカ３１の移動方向が逆になっている。すなわち、マーカ移動方法が「表示順」に設定されていると、処理はステップＳＰ３２を介してステップＳＰ３８に進み、シーン選択リスト３２の表示方法にかかわらずマーカ３１が「１行下」のシーンに移動され、移動先のシーンが選択状態にされる。
【００２１】
一方、マーカ移動方法が「番号順」であれば、マーカ３１はシーンナンバが現在よりも「１」だけ小さいシーンに移動され、移動先のシーンが選択状態にされる。すなわち、表示方法が「昇順」であれば処理はステップＳＰ３２，ＳＰ３４を介してステップＳＰ３６に進みマーカ３１は「１行上」に移動され、表示方法が「降順」であれば処理はステップＳＰ３２，ＳＰ３４を介してステップＳＰ３８に進みマーカ３１は「１行下」に移動される。
【００２２】
このように、上下スイッチ５２，５４が押下されたときにマーカ３１は移動されるが、実際にはシーン設定画面３０ａにおけるマーカ３１の物理的位置は固定されており、シーン選択リスト３２全体がスクロールすることにより、結果的にシーン選択リスト３２内におけるマーカ３１の位置が移動される。
【００２３】
以上説明したように本実施例によれば、シーン選択リスト３２の表示順をシーンナンバの昇順にするか降順にするかをユーザが自由に選択でき、しかもマーカ移動方法として番号順または表示順の何れかを自由に選択できるから、ユーザの直感に最も一致するように操作内容と操作結果の関係を設定することができる。
【００２４】
4．変形例
本発明は上述した実施例に限定されるものではなく、例えば以下のように種々の変形が可能である。
(1)上記実施例においては、ミキシングシステム上で動作するプログラムによってマーカ３１の移動処理等を実行したが、このプログラムのみをＣＤ−ＲＯＭ、フレキシブルディスク等の記録媒体に格納して頒布し、あるいは伝送路を通じて頒布することもできる。
【００２５】
(2)上記実施例は本発明をミキシングシステムのシーン選択に適用した例を説明したが、本発明はこれに限定されるものではなく、様々なデータの指標情報をディスプレイに一覧表示する技術に適用することができる。
【図面の簡単な説明】
【００２６】
【図１】本発明の一実施例のミキシングシステムのブロック図である。
【図２】ミキシングシステムの操作パネルの要部の平面図である。
【図３】シーンデータ処理ルーチンのフローチャートである。
【図４】上スイッチイベント処理ルーチンのフローチャートである。
【図５】下スイッチイベント処理ルーチンのフローチャートである。
【符号の説明】
【００２７】
２：操作子群、４：検出回路、６：表示部、８：表示回路、１０：入出力インタフェース、１２：信号処理回路、１４：バス、１６：ＲＯＭ、１８：ＲＡＭ、２０：ＣＰＵ、２２：通信インタフェース、２６：外部制御機器、３０：ＬＣＤディスプレイ（表示手段）、３０ａ：シーン設定画面、３１：マーカ、３２：シーン選択リスト、３２ａ：シーンナンバ欄、３２ｂ：シーンネーム欄、３６：スクロールバー、３８：マーカ移動方法選択リストボックス、４０：リスト表示順選択リストボックス、４２：リコールスイッチ、４４：ストアスイッチ、５６：シーンデータスイッチ、５２，５４：上下スイッチ（第１および第２のスイッチ）。
【図１】
2005159608.tif 000003
【図２】
2005159608.tif 000004
【図３】
2005159608.tif 000005
【図４】
2005159608.tif 000006
【図５】
2005159608.tif 000007